(57)【要約】【課題】ＰＩＮダイオードの種類に応じ、レジスタにて簡単に定数変更することができ、電流感度を調整できるアッテネータ回路提供する。【解決手段】少なくとも１つのＰＩＮダイオードの順方向電流を可変することにより、受信したＲＦ信号を高周波抵抗分を変化させ、アッテネータ回路で調整されたＲＦ信号の増幅をし、アッテネータ回路の順方向電流を調整するためのＡＧＣ電圧制御電流源調整信号を出力し、ＡＧＣ電圧制御電流源回路とアッテネータ回路の間に設けられた容量素子と、容量素子と電流制限をする素子によりローパスフィルタ回路を構成し、コントローラ制御信号により、可変電流制限回路の時定数および電流制限定数を調整するアンテナアッテネータ回路である。【選択図】図１
2007324918.tif 000002
【特許請求の範囲】
【請求項１】
少なくとも１つのＰＩＮダイオードの順方向電流を可変することにより、受信したＲＦ信号の高周波抵抗分を変化させるアッテネータ回路と、
前記アッテネータ回路で調整されたＲＦ信号を増幅するローノイズアンプ回路と、
前記ローノイズアンプ回路の出力に基づいて前記ローノイズアンプ回路の出力信号のゲイン調整をするとともに、前記アッテネータ回路の前記順方向電流を調整するためのＡＧＣ電圧制御電流源調整信号を出力するＡＧＣ回路と、
前記ＡＧＣ電圧制御電流源調整信号により前記順方向電流を調整するための電流源であるＡＧＣ電圧制御電流源回路と、
前記ＡＧＣ電圧制御電流源回路と前記アッテネータ回路の間に設けられた容量素子と、前記容量素子とローパスフィルタ回路を構成する電流制限用の可変電流制限回路と、
外部インタフェースからの設定と前記ＡＧＣ回路から出力されるコントローラ制御信号により、前記可変電流制限回路の時定数および電流制限定数を調整するコントローラと、
を具備することを特徴とするアンテナアッテネータ回路。
【請求項２】
前記ＡＧＣ電圧制御電流源回路をトランジスタで構成し、
前記トランジスタのソース端子を電源電圧に接続し、前記トランジスタのゲート端子に前記ＡＧＣ回路の前記ＡＧＣ電圧制御電流源調整信号の出力端子と接続し、前記トランジスタのドレイン端子を前記可変電流制限回路の入力に接続することを特徴とする請求項１に記載のアンテナアッテネータ回路。
【請求項３】
前記可変電流制限回路は、抵抗素子と前記コントローラにより切り替え可能なスイッチを直列に接続した直列回路を複数並列に接続して構成し、前記可変電流制限回路の出力に前記容量素子の一方と前記アッテネータ回路の調整端子に接続することを特徴とする請求項２に記載のアンテナアッテネータ回路。
【請求項４】
前記ＡＧＣ電圧制御電流源回路を複数のトランジスタで構成し、
前記トランジスタごとのソース端子と電源電圧を接続し、
前記トランジスタごとのゲート端子に前記コントローラにより切り替え可能なスイッチを直列に接続し、前記スイッチを介して前記ＡＧＣ回路の前記ＡＧＣ電圧制御電流源調整信号の出力端子と接続し、
前記トランジスタごとのドレイン端子を接続して前記可変電流制限回路の入力端子に接続することを特徴とする請求項１に記載のアンテナアッテネータ回路。
【請求項５】
前記可変電流制限回路は、抵抗素子であることを特徴とする請求項４に記載のアンテナアッテネータ回路。
【請求項６】
前記コントローラは、レジスタを備え前記外部インタフェースから設定されるテーブル値と、前記ＡＧＣ回路の前記ＡＧＣ電圧制御電流源調整信号により、前記テーブル値から適切な切り替えコード選択することを特徴とする請求項１に記載のアンテナアッテネータ回路。
【請求項７】
前記アッテネータ回路は、ＰＩＮダイオードとインダクタンス素子を直列に接続し、前記接続点に前記ＲＦ信号を入力する構成とすることを特徴とする請求項１に記載のアンテナアッテネータ回路。
【請求項８】
前記アッテネータ回路は、２つのＰＩＮダイオードを直列に接続し、前記接続点に前記ＲＦ信号を入力する構成とすることを特徴とする請求項１に記載のアンテナアッテネータ回路。
【発明の詳細な説明】
【技術分野】
【０００１】
本発明は無線装置の受信機のフロントエンドに設けられるアンテナアッテネータ回路の構成に関する。
【背景技術】
【０００２】
従来、ＩＣチップに搭載される無線受信装置のフロントエンドには、アンテナアッテネータ回路を用いることが知られている。そして一般的にアンテナアッテネータ回路はＰＩＮダイオードなどで構成されている。このようなＰＩＮダイオードを用いたアッテネータ回路の制御は、ＰＩＮダイオード（p-intrinsic-n Diode）の順方向電流の制御を行い、順方向電流の制御はＡＧＣ回路などを用いて電流源回路の出力電流を制御し、その後ＲＣフィルタ回路（ローパスフィルタ回路）を介してアッテネータ回路に制御信号を加えて行われる。通常、このＲＣフィルタは外付けの抵抗やコンデンサなどの部品を用いて構成されている。
【０００３】
図８に示すフロントエンドの回路構成例を示す。フロントエンド回路４１は、アッテネータ回路４２、コンデンサ４３、ローノイズアンプ回路（低雑音増幅回路：Low Noise Amplifier）４４、ＡＧＣ回路（Automatic Gain Control）４５、ＡＧＣ電圧制御電流源回路４６、ＲＣフィルタ回路４７、ミキサ回路４８などから構成される。本例ではミキサ回路４８以降の回路は省略し図示しない。
【０００４】
アッテネータ回路４２は、ＰＩＮダイオードＤ１、Ｄ２を直列に接続し、Ｄ１アノード端子から制御信号を入力し、Ｄ１のカソードをＤ２のアノードに接続する。Ｄ２のカソードはグランドに接続される。そしてＤ１とＤ２の中点は受信アンテナと接続されＲＦ信号を受け、その後段にコンデンサ４３を設けてもよい。
【０００５】
ローノイズアンプ回路（低雑音増幅回路：Low Noise Amplifier）４４は、コンデンサ４３からゲインを適正に減衰させ直流成分をカットしたＲＦ信号が入力される。そして、ＡＧＣ回路４５からの信号によりゲインを調整されミキサ回路４８に入力される。
【０００６】
ＡＧＣ回路４５は、ローノイズアンプ回路４４の出力信号に基づいて適切な出力信号を出力する。出力信号はローノイズアンプ回路４４に用いる制御信号とＡＧＣ電圧制御電流源回路４６に用いる制御信号が出力される。
【０００７】
ＡＧＣ電圧制御電流源回路４６は例えば電流源などでありＡＧＣ回路４５の制御信号により制御される。そしてＡＧＣ電圧制御電流源回路４６の出力はＲＣフィルタ回路に入力される。
【０００８】
ＲＣフィルタ回路４７は、アッテネータ回路４２とＡＧＣ電圧制御電流源回路４６との間に設けられ、抵抗素子と容量素子から構成されるローパスフィルタ回路である。
特許文献１によれば、受信アンテナの後段に、挿入損失を伴うアッテネータ回路が配置されている場合に、受信電界強度が弱くなると、高周波増幅回路内部の雑音指数（ＮＦ：Noise Figure）が悪化するため、その受信感度が上がらなくなる。また、受信アンテナの後段にアッテネータ回路が配置されていることから、そのアッテネータ回路の後段に、いくら雑音指数特性が良好なＬＮＡ部を配置したとしても、受信電界強度が弱くなると、高周波増幅回路内部の雑音指数が悪化するため、その受信感度が上がらなくなる。このような場合に高周波信号の受信ダイナミックレンジを広範囲にとることができるようにしながら、受信電界強度が弱電界となったとしても、高周波増幅回路内部の雑音指数を良好にし、その受信感度の向上させるために、受信アンテナの後段にＬＮＡ等の増幅手段を配置する。
【０００９】
さらにこの増幅手段の後段に、挿入損失を伴うアッテネータ回路等の減衰手段を配置するようにし、減衰手段の挿入損失等による雑音指数が無視できる程度に小さくなることで、その受信感度を上げている。また、自動利得制御電圧に基づいて、増幅手段の直流バイアス量及び、減衰手段のＯＮ／ＯＦＦ動作を設定するようにして、受信ダイナミックレンジを広げる提案がされている。
【００１０】
特許文献２によれば、ＡＧＣ回路が、中心周波数より広帯域の所に強入力妨害信号がある場合リニアに動作してしまうこと、希望信号が弱い場合はその信号レベルが低下し、実用上判別し難い信号対雑音比となり良好な受信ができない。そこで、妨害信号を含む広帯域での電界強度を検出するためミキサ回路において入力信号に応じて変化する電圧として検出された出力と、希望信号を含む狭帯域での電界強度を検出する。そのため、ＩＦアンプ／検波部により得られる出力とが、制御回路に入力される。この二つの値からなる、任意の論理出力によって、最適の混変調出力を生ずる制御出力Ｃを、アンテナアンプ側のＡＧＣ回路の入力として供給して、自らの内部閉ループのＡＧＣ作用を使うことがなく、電界強度の強い場所についても良好なＦＭ受信が可能な優れた車載用アンテナアンプ装置が提案されている。
【特許文献１】特開２００３−５１７２７号公報
【特許文献２】特開平０５−２２１７５号公報
【発明の開示】
【発明が解決しようとする課題】
【００１１】
しかしながら、特許文献１、２に提案されている回路ではＩＣチップの外付け部品を削減することができない。つまり、上記説明した図４に示すように外付け部品（ＲＣフィルタ回路の抵抗やコンデンサ）が削減できない。最低２点の外付け部品が必要となり利用者が用意する基板の部品実装面積が削減できない。
【００１２】
また、外付け抵抗であると固定抵抗となるため部品定数が変更できなくなる。
また、電流感度の調整の際、部品の変更を伴うことがある。そのため部品に合った電流感度を変更する必要がある。
【００１３】
本発明は上記のような実情に鑑みてなされたものであり、外付け部品（抵抗など）をＩＣチップに内蔵し、さらに内蔵した部品定数（抵抗の抵抗値）の変更をできるようにし、ＰＩＮダイオードの種類に応じ、レジスタによって簡単に定数変更することができ、電流感度を調整できるアンテナアッテネータ回路を提供することを目的とする。
【課題を解決するための手段】
【００１４】
本発明の態様のひとつである少なくとも１つのＰＩＮダイオードの順方向電流を可変することにより、受信したＲＦ信号の高周波抵抗分を変化させるアッテネータ回路と、前記アッテネータ回路で調整されたＲＦ信号を増幅するローノイズアンプ回路と、前記ローノイズアンプ回路の出力に基づいて前記ローノイズアンプ回路の出力信号のゲイン調整をするとともに、前記アッテネータ回路の前記順方向電流を調整するためのＡＧＣ電圧制御電流源調整信号を出力するＡＧＣ回路と、前記ＡＧＣ電圧制御電流源調整信号により前記順方向電流を調整するための電流源であるＡＧＣ電圧制御電流源回路と、前記ＡＧＣ電圧制御電流源回路と前記アッテネータ回路の間に設けられた容量素子と、前記容量素子とローパスフィルタ回路を構成する電流制限用の可変電流制限回路と、外部インタフェースからの設定と前記ＡＧＣ回路から出力されるコントローラ制御信号により、前記可変電流制限回路の時定数および電流制限定数を調整するコントローラと、を具備する構成である。
【００１５】
好ましくは、前記ＡＧＣ電圧制御電流源回路をトランジスタで構成し、前記トランジスタのソース端子を電源電圧に接続し、前記トランジスタのゲート端子に前記ＡＧＣ回路の前記ＡＧＣ電圧制御電流源調整信号の出力端子と接続し、前記トランジスタのドレイン端子を前記可変電流制限回路の入力に接続してもよい。
【００１６】
好ましくは、前記可変電流制限回路は、抵抗素子と前記コントローラにより切り替え可能なスイッチを直列に接続した直列回路を複数並列に接続して構成し、前記可変電流制限回路の出力に前記容量素子の一方と前記アッテネータ回路の調整端子に接続してもよい。
【００１７】
好ましくは、前記ＡＧＣ電圧制御電流源回路を複数のトランジスタで構成し、前記トランジスタごとのソース端子と電源電圧に接続し、前記トランジスタごとのゲート端子に前記コントローラにより切り替え可能なスイッチを直列に接続し、前記スイッチを介して前記ＡＧＣ回路の前記ＡＧＣ電圧制御電流源調整信号の出力端子と接続し、前記トランジスタごとのドレイン端子を接続して前記可変電流制限回路の入力端子に接続してもよい。
【００１８】
好ましくは、前記可変電流制限回路は、抵抗素子でもよい。
好ましくは、前記コントローラは、レジスタを備え前記外部インタフェースから設定されるテーブル値と、前記ＡＧＣ回路の前記ＡＧＣ電圧制御電流源調整信号により、前記テーブル値から適切な切り替えコード選択してもよい。
【００１９】
好ましくは、前記アッテネータ回路は、ＰＩＮダイオードとインダクタンス素子を直列に接続し、前記接続点に前記ＲＦ信号を入力する構成としてもよい。
好ましくは、前記アッテネータ回路は、２つのＰＩＮダイオードを直列に接続し、前記接続点に前記ＲＦ信号を入力する構成としてもよい。  
【００２０】
上記構成にすることで、利用者が外部インタフェースを用いて、使用するＰＩＮダイオードなどの種類に応じ、簡単に定数変更することができるようになる。また、電流感度を調整できるようになる。
【００２１】
その結果、外付け部品（抵抗など）を内蔵化し内蔵した部品の定数を変更でき、実装部品点数も削減でき、さらにＩＣチップの端子数を削減できる。
【発明の効果】
【００２２】
本発明によれば、外付け部品を内蔵化できるようになり、実装部品点数削減や使用する部品種類に応じ、簡単に定数変更することができるようになる。また、制御系と組み合せることにより電流感度を調整できるようになる。
【発明を実施するための最良の形態】
【００２３】
以下図面に基づいて、本発明の実施形態について詳細を説明する。
（実施例１）
図１に示す無線装置の受信部のフロントエンド回路にはアッテネータ回路２、コンデンサ３（容量素子）、ローノイズアンプ（ＬＮＡ）４、ＡＧＣ回路５、ＡＧＣ電圧制御電流源回路６、可変電流制限回路７、容量素子８、コントローラ９、外部インタフェース１０、ミキサ回路１１などで構成される。
【００２４】
そして、アンテナアッテネータ回路１（破線範囲）は少なくともアッテネータ回路２、ローノイズアンプ（ＬＮＡ）４、ＡＧＣ回路５、ＡＧＣ電圧制御電流源回路６、可変電流制限回路７、コントローラ９などで構成される。アッテネータ回路２、コンデンサ３、容量素子８などは外付け部品である。
【００２５】
アッテネータ回路２は、ＰＩＮダイオードＤ１、Ｄ２を直列に接続し、Ｄ１アノード端子から可変電流制限回路７の抵抗成分と容量素子８から構成される回路（ローパスフィルタ回路）を介して制御信号を入力する。ＰＩＮダイオードＤ１のカソードをＤ２のアノードに接続する。ＰＩＮダイオードＤ２のカソードはグランドに接続される。そしてＰＩＮダイオードＤ１とＤ２の中点は受信アンテナと接続されＲＦ信号を受け、その後段にコンデンサ３を設ける。
【００２６】
ローノイズアンプ回路（低雑音増幅回路：Low Noise Amplifier）４は、コンデンサ３からゲインを適正に減衰させ直流成分をカットしたＲＦ信号が入力される。そして、ＡＧＣ回路５からの信号によりゲインを調整されミキサ回路１１に入力される。
【００２７】
ＡＧＣ回路５は、ローノイズアンプ回路４の出力信号に基づいて適切な出力信号を出力する。出力信号は、ローノイズアンプ回路４に用いるローノイズアンプ制御信号とＡＧＣ電圧制御電流源回路６に用いるＡＧＣ電圧制御電流制御信号とコントローラ９に出力するコントローラ制御信号を各回路に出力される。
【００２８】
ＡＧＣ電圧制御電流源回路６は例えば電流源などでありＡＧＣ回路５の制御信号により制御される。そしてＡＧＣ電圧制御電流源回路６の出力は可変電流制限回路７に入力される。
【００２９】
可変電流制限回路７は、アッテネータ回路２とＡＧＣ電圧制御電流源回路６との間に設けられ、コントローラ９の出力から可変電流制限信号を受信し可変電流制限回路７の制御をする。可変電流制限回路７は例えば抵抗素子などで構成する。
【００３０】
コントローラ９は複数のレジスタを備えており、外部インタフェース１０により外部から設定値を設定することができる。例えば、複数のレジスタはテーブル構成であり、外部インタフェース１０よりテーブルないのレジスタとそれに対応するコード値を設定し、コントローラ制御信号に基づいて選択された可変電流制限回路７を制御する可変電流制限信号を出力する。
（動作説明）
先ず、アンテナで受信したＲＦ信号をＰＩＮダイオードで構成されるアッテネータ回路２の順方向電流を可変することにより高周波抵抗分を変化させＲＦ信号のゲインを減衰させる。
【００３１】
次に、次段に設けられたローノイズアンプ回路４によりアッテネータ回路２で減衰されたＲＦ信号のゲインの調整をする。ローノイズアンプ回路４を調整するＡＧＣ回路５から出力されるローノイズアンプ制御信号は、ローノイズアンプ回路４の出力信号（調整したＲＦ信号）に基づいて選択される。また、ＡＧＣ回路５はアッテネータ回路２の順方向電流を調整するためＡＧＣ電圧制御電流源調整信号を出力する。例えば、ＡＧＣ回路５はローノイズアンプ回路４の出力信号を用いて、オペアンプなどから構成してもよいし、テーブルを用いて処理してもよい。また、ローノイズアンプ制御信号、ＡＧＣ電圧制御電流制御信号、コントローラ制御信号を生成するＡＧＣ回路を別々に設けてもよい。
【００３２】
そして、ＡＧＣ電圧制御電流源調整信号によりＡＧＣ電圧制御電流源回路６の出力電流（順方向電流）を制御して、ＡＧＣ電圧制御電流源回路６とアッテネータ回路２の間に設けられた容量素子と可変電流制限回路７内に設けられた電流制限をする素子によりローパスフィルタ回路を構成しノイズなどを低減する。
【００３３】
その後、アッテネータ回路２に大振幅の信号が入力されるとＰＩＮダイオードＤ１の順方向電流が増加して動作抵抗が減少し減衰量が増加する。
コントローラ９は、複数のレジスタを備え外部インタフェース１０から利用者により設定されるテーブル値と、ＡＧＣ回路５のコントローラ制御信号により、テーブル値から適切な切り替えコードを選択する。外部インタフェース１０からの設定により、コントローラ９内のレジスタのテーブル値を変更し、ＡＧＣ回路５から出力されるコントローラ制御信号により可変電流制限回路７の時定数および電流制限定数を調整（例えば抵抗値を変更して）する。
（コントローラの動作例）
上記コントローラ９の動作について説明する。ＡＧＣ回路５にて生成されるＡＧＣ回路の出力電圧（コントローラ制御信号）を監視し、ある閾値を越える毎に、テーブル設定した所定のレジスタの示すコードを可変電流制限回路７に送る。使用するコントローラ９の動作フロー図を図２示す。本例ではコントローラ９にはコントローラ制御信号の電圧を監視する回路を持ち、閾値は少なくとも１以上ある。
【００３４】
ＡＧＣ回路５の出力電圧が低い電圧から変化する場合は図２（ａ）に示すように制御を行う。例えば、ＡＧＣ回路５のコントロール制御信号の示す電圧範囲を３段階に分ける（低い電圧、中間の電圧、高い電圧）。そして閾値１〜３をそれぞれコントローラ９に外部から設定する。閾値１〜３はテーブルのレジスタ０〜２に設定され、各レジスタは対応する可変電流制限回路７へ送るコードを有している。各閾値は３段階に分けた各範囲に設けられ、閾値１は低い電圧の範囲に設け、閾値２は中間の電圧の範囲に設け、閾値３は高い電圧の範囲に設ける。ここで閾値２については例えばアンテナ受信範囲の中点付近に設定してもよい。また、各範囲の示す可変電流制限回路７に送るコードも外部から設定する。
【００３５】
ステップＳ２１では、コントローラ９がＡＧＣ回路５からコントロール制御信号を受信した場合に、その電圧値が低い電圧範囲にあるため、ＡＧＣ回路５のコントロール制御信号の電圧を高くするようにＡＧＣ回路５が制御をする。その結果、中間の電圧範囲になる。
【００３６】
ステップＳ２２では、コントロール制御信号がＡＧＣ回路５により閾値２より小さくなったことを検出する。
ステップＳ２３では、テーブルの可変電流制限レジスタの示す可変電流制限回路７に送るコードを変更する。可変電流制限回路７に送るコードは可変電流制限レジスタに設定されている。レジスタ０の示すコードからレジスタ１の示すコードに可変電流制限レジスタの内容を変更する。
【００３７】
ＡＧＣ回路５の出力電圧が高い電圧から変化する場合は図２（ｂ）に示すように制御を行う。
ステップＳ２４では、コントローラ９がＡＧＣ回路５からコントロール制御信号を受信した場合に、その電圧値が高い電圧範囲にあるため、ＡＧＣ回路５のコントロール制御信号の電圧を低くするようにＡＧＣ回路５が制御をする。その結果、中間の電圧範囲になる。
【００３８】
ステップＳ２５では、コントロール制御信号がＡＧＣ回路５により閾値２より大きくなったことを検出する。
ステップＳ２６では、テーブルの可変電流制限レジスタの示す可変電流制限回路７に送るコードを変更する。可変電流制限回路７に送るコードは可変電流制限レジスタに設定されている。レジスタ２の示すコードからレジスタ１の示すコードに可変電流制限レジスタの内容を変更する。
【００３９】
なお、コントロール制御信号の電圧が閾値に達したとき、可変電流制限回路のレジスタを設定した値に変更する。閾値の電圧、レジスタの値は外部インタフェース１０から書き換えが可能である。なお、可変不能な構成でもかまわない。
【００４０】
また、コントローラ制御信号の電圧は、ＡＧＣ回路５に組み込まれたＡ／Ｄ変換器により変換して、コントローラ９でレジスタ値の変化を検出する方法も考えられる。
また、コントローラ制御信号の電圧が閾値付近で細かく変動する場合、閾値はヒステリシスを持たせる必要がある場合もある。
【００４１】
上記のように、ＩＣチップ内に可変電流制限回路７とそれを制御するコントローラ９を集積することで外付け部品が削減できるとともに、回路条件が変わっても容易にローパスフィルタの時定数変更や電流制限定数を変更できるようになる。
【００４２】
また、ＡＧＣ回路５はＲＦ信号入力、ローノイズアンプ回路４の出力、もしくはミキサ回路１１の出力などの状態を検出し、コントローラにより電流制御定数を可変できるようにすることにより、入力条件に適した電流感度をアクティブにコントロールできる。
【００４３】
上記構成により、図３に示すように従来の同図（ａ）の電流感度の高い範囲（傾きのきつい範囲）が、（ｂ）に示すような電流感度の高い範囲になる。よって、電流感度が高い範囲が減少し安定した電流感度となる。ここで図３の縦軸には減衰量（ｄＢ）、横軸に電流値（Ａ）を示している。横軸は対数で示している。
【００４４】
（実施例２）
図４は実施例１で説明した可変電流制限回路７を複数の抵抗素子およびスイッチにより構成した図を示している。
【００４５】
ＡＧＣ電圧制御電流源回路６をトランジスタＴｒ２１で構成し、トランジスタＴｒ２１のソース端子を電源電圧に接続し、トランジスタＴｒ２１のゲート端子にＡＧＣ回路５のＡＧＣ電圧制御電流源調整信号の出力端子と接続し、トランジスタＴｒ２１のドレイン端子を可変電流制限回路７の入力に接続する。
【００４６】
また、可変電流制限回路７は、抵抗素子Ｒ２１、Ｒ２２・・・とコントローラ９により切り替え可能なスイッチＳ２１、Ｓ２２・・・を直列に接続して、抵抗素子とスイッチからなる直列回路を複数並列に接続して構成する。可変電流制限回路７の出力に容量素子の一方とアッテネータ回路２のＤ１のカソード（調整端子）に接続する。スイッチＳ２１、Ｓ２２・・・はトランスファーゲートなどで構成してもよい。コントローラ９で選択されたコードに従い必要な時定数と電流制限定数になるようにスイッチＳ２１、Ｓ２２・・・の切り替えをする。直列回路が多く設ければ精度のよい制御が可能になる。ただしコントローラ９の選択するコード数（ビット数など）が増加する。外部インタフェース１０により制御可能であるため利用者は簡単に時定数と電流制限定数を変更できる。また、外付け部品が削減できる。
【００４７】
ＡＧＣ回路５からＡＧＣ電圧制御電流源調整信号の電圧に応じてトランジスタＴｒ２１の出力電流（ドレイン）を変化させるとともにコンデンサ３（容量素子）を介してノイズを低減させる。
【００４８】
（実施例３）
図５は可変電流制限回路７を抵抗素子で構成し、ＡＧＣ電圧制御電流源回路６を複数のトランジスタで構成した図である。
【００４９】
可変電流制限回路７は少なくとも１つの抵抗素子およびＡＧＣ電圧制御電流源回路６を使用するトランジスタＴｒ３１、Ｔｒ３２、Ｔｒ３３の電流源を切り替えるスイッチＳ３１、Ｓ３２、Ｓ３３により構成する。トランジスタＴｒ３１、Ｔｒ３２、Ｔｒ３３ごとのソース端子と電源電圧に接続し、トランジスタＴｒ３１、Ｔｒ３２、Ｔｒ３３ごとのゲート端子にコントローラ９により切り替え可能なスイッチＳ３１、Ｓ３２、Ｓ３３を直列に接続し、スイッチＳ３１、Ｓ３２、Ｓ３３を介してＡＧＣ回路５のＡＧＣ電圧制御電流源調整信号の出力端子と接続する。またトランジスタＴｒ３１、Ｔｒ３２、Ｔｒ３３ごとのドレイン端子を接続して可変電流制限回路７の入力端子に接続する。
【００５０】
また可変電流制限回路７を抵抗素子Ｒ３１で構成し、抵抗素子Ｒ３１の出力端子に容量素子の一方とアッテネータ回路２のＤ１のカソード（調整端子）に接続する。スイッチＳ３１、Ｓ３２、Ｓ３３はトランスファーゲートなどで構成してもよい。コントローラ９で選択されたコードに従い必要な時定数と電流制限定数になるようにスイッチＳ３１、Ｓ３２、Ｓ３３の切り替えをする。トランジスタＴｒ３１、Ｔｒ３２・・・とスイッチＳ３１、Ｓ３２、Ｓ３３から構成される回路を多く設けることで精度よく制御が可能になる。
【００５１】
この場合、コントローラ９の選択するコード数（ビット数など）が増加するが、外部インタフェース１０により制御可能であるため利用者は簡単に時定数と電流制限定数を変更でき、外付け部品が削減できるとともにＩＣチップの端子を削減できる。
【００５２】
上記構成によりＡＧＣ回路５からＡＧＣ電圧制御電流源調整信号の電圧に応じてトランジスタＴｒ３１、Ｔｒ３２、Ｔｒ３３の出力電流（ドレイン）を変化させ、コンデンサ３（容量素子）を介してノイズを低減させることができる。
【００５３】
なお、ＡＧＣ回路５はＲＦ信号入力、ローノイズアンプ回路４の出力、もしくはミキサ回路１１の出力などの状態を検出し、コントローラ９により電流制御定数を可変できるようにしてもよい。入力条件に適した電流感度をアクティブにコントロールすることができる。
【００５４】
トランジスタとスイッチで構成する回路は、本例では３つであるが３つに限定するものではない。
（実施例４）
実施例４は実施例１、２、３で説明したアッテネータ回路２の回路構成と異なり、図６に示すようにＰＩＮダイオードを２つ使用する替わりに、コイルＬ１（インダクタ素子）を使用する。例えば、図１、４、５で示したＰＩＮダイオードＤ１とＤ２のどちらかをインダクタ素子に替えてもよい。    
【００５５】
（実施例５）
実施例５は実施例１、２、３、４で説明したアッテネータ回路２の回路構成と異なり、図７に示すように容量素子８だけを外付けにし、アッテネータ回路２とコンデンサ３（容量素子）をＩＣチップに内蔵した構成である。
【００５６】
図１に示した回路構成でＰＩＮダイオードを内蔵化した際、図７に示す可変電流制限回路７を用いないと、外付けして抵抗などの素子を外付けで使用しなければならない。
この場合、端子１本増加と抵抗等の部品が少なくとも１点追加となる。また、抵抗を内蔵すると抵抗値(電流制限値)を微調整できなくなる。また、抵抗を内蔵しないと端子数が増加する。
【００５７】
図７の構成にすることで、端子数の増加を防ぎ、外付け素子数を減らし、さらに素子定数の微調整も可能となる。
上記説明した実施例２と実施例３を組み合せた構成でもかまわない。つまり、実施例２の抵抗素子とスイッチの組み合わせからなる回路と、実施例３のトランジスタとスイッチの組み合わせからなる回路を組み合わせてもかまわない。上記の構成に実施例４を組み合わせた回路でもかまわない。
【００５８】
また、ＬＮＡは固定ゲインでもよく、アッテネータ回路のみでゲインコントロールしてもよい。また、ＬＮＡとアッテネータ回路の両方を組み合わせた場合もありえる。
また、本発明は、上記実施の形態に限定されるものでなく、本発明の要旨を逸脱しない範囲内で種々の改良、変更が可能である。
【図面の簡単な説明】
【００５９】
【図１】実施例１を示す構成図である。
【図２】コントローラの動作を説明するフロー図である。
【図３】従来と本発明の効果を比較した図である。
【図４】実施例２を示す構成図である。
【図５】実施例３を示す構成図である。
【図６】実施例４を示す構成図である。
【図７】実施例５を示す構成図である。
【図８】従来の構成を示す図である。
【符号の説明】
【００６０】
１  アンテナアッテネータ回路、
２  アッテネータ回路、
３  コンデンサ、
４  ローノイズアンプ回路、
５  ＡＧＣ回路、
６  ＡＧＣ電圧制御電流源回路、
７  可変電流制限回路、
８  容量素子、
９  コントローラ、
１０  外部インタフェース、
１１  ミキサ回路、
４１  フロントエンド回路、
４２  アッテネータ回路、
４３  コンデンサ、
４４  ローノイズアンプ回路、
４５  ＡＧＣ回路、
４６  ＡＧＣ電圧制御電流源回路、
４７  ＲＣフィルタ回路、
４８  ミキサ回路、
【図１】
2007324918.tif 000003
【図２】
2007324918.tif 000004
【図３】
2007324918.tif 000005
【図４】
2007324918.tif 000006
【図５】
2007324918.tif 000007
【図６】
2007324918.tif 000008
【図７】
2007324918.tif 000009
【図８】
2007324918.tif 000010